(57)【要約】【課題】本発明は、鍵穴における防塵装置に関し、主に建物の工事中において、錠前への取り付けが簡単で、製造コストが安価であって、鍵の差し込みにも邪魔にならず、全体が薄く部品の保管にも便宜な鍵穴における防塵装置を提供することが課題である。【解決手段】錠前の本体部とその本体部の外周を囲堯する飾りカバーとの間隙に着脱自在に装着される支持部５と、前記錠前の鍵穴のある正面部を覆うカバー部６と、前記支持部とカバー部とを連結する繋ぎ部７とが、合成樹脂製のプレート，シート又はフィルムのいずれか一つで一体に形成されている鍵穴における防塵装置１とする。【選択図】図１
2007170116.tif 000002
【特許請求の範囲】
【請求項１】
錠前の本体部とその本体部の外周を囲堯する飾りカバーとの間隙に着脱自在に装着される支持部と、前記錠前の鍵穴のある正面部を覆うカバー部と、前記支持部とカバー部とを連結する繋ぎ部とが、合成樹脂製のプレート，シート又はフィルムのいずれか一つで一体に形成されていること、
を特徴とする鍵穴における防塵装置。
【請求項２】
繋ぎ部は、帯状の支持部をカバー部の通し穴に挿通させたことで形成される環状の弾性部分であって、当該繋ぎ部の弾性作用により錠前にこの防塵装置が装着された際に、前記カバー部が前記錠前の正面部を覆うように常に付勢されること、
を特徴とする請求項１に記載の鍵穴における防塵装置。
【請求項３】
カバー部の下部には、錠前の正面部に対して外に彎曲して垂れ下がる捲り部が設けられていること、
を特徴とする請求項１又は２のいずれかに記載の鍵穴における防塵装置。
【請求項４】
支持部は、錠前における本体部と飾りカバーとの間隙が密閉状態となるように形成されていること、
を特徴とする請求項１乃至３のいずれかに記載の鍵穴における防塵装置。
【発明の詳細な説明】
【技術分野】
【０００１】
本発明は、錠前の鍵穴から塵埃が内部に侵入してキー操作不良となるのを防止する、鍵穴における防塵装置に関するものである。
【背景技術】
【０００２】
従来、錠前の鍵穴を、塵や埃の侵入、若しくは、水の侵入から守る防塵・防水カバーが提案されている。例えば、扉のハンドル用防塵・防水カバーとして、ハンドルの軸部に装着される軸カバーと、把持部上に装着される把持カバーと、これらを接続する接続部とをゴム等の弾性素材で一体に形成したものが知られている（特許文献１参照）。
【０００３】
前記カバーにより、外気に直接面する開口部位が全て被覆され、雨水や粉塵の侵入が阻止されるものであり、全体がゴムで弾性的に変形容易であるので、装着が容易であるというものである。
【特許文献１】特開平９−２７９９１５号公報
【発明の開示】
【発明が解決しようとする課題】
【０００４】
しかし、従来の鍵穴における防塵装置では、ハンドルの軸部に装着させて保持させるので、全体として物が大きなカバー体となり、製造コストが嵩み、ハンドルに装着する際には、把持部の一端側から挿入してハンドル外周を移動させ、更に大きく変形させて軸部に装着するものであり、手間が掛かる。このような防塵カバーは、建物の完成後の通常の使用時において必要というよりも、特に、建築中のマンションや戸建住宅、若しくは、長期間放置されることのある別荘等の扉や玄関における錠前において必要となるものである。即ち、工事中や長期間に亘る塵埃が多いので、高精度で組み立てられるシリンダー錠の操作に支障を来すおそれがあるからである。
【０００５】
また、特に工事中に鍵穴における防塵装置を設けた場合には、出入り口に扉が取り付けられた後も、設備関係者，内装関係者や電気工事関係者など、各種の工事関係者が出入りするので、施錠・解錠の際のカバーの忌避が容易であって、工事終了後は簡単に脱着できるものであるとともに、廃棄しても良い程度の廉価なものでなければならない。本発明に係る鍵穴における防塵装置は、このような課題を解決するために提案されたものである。
【課題を解決するための手段】
【０００６】
本発明に係る鍵穴における防塵装置の上記課題を解決して目的を達成するための要旨は、錠前の本体部とその本体部の外周を囲堯する飾りカバーとの間隙に着脱自在に装着される支持部と、前記錠前の鍵穴のある正面部を覆うカバー部と、前記支持部とカバー部とを連結する繋ぎ部とが、合成樹脂製のプレート，シート又はフィルムのいずれか一つで一体に形成されていることである。
【０００７】
前記繋ぎ部は、帯状の支持部をカバー部の通し穴に挿通させたことで形成される環状の弾性部分であって、当該繋ぎ部の弾性作用により錠前にこの防塵装置が装着された際に、前記カバー部が前記錠前の正面部を覆うように常に付勢されること、；
前記カバー部の下部には、錠前の正面部に対して外に彎曲して垂れ下がる捲り部が設けられていること、；
前記支持部は、錠前における本体部と飾りカバーとの間隙が密閉状態となるように形成されていること、；
を含むものである。
【発明の効果】
【０００８】
本発明の鍵穴における防塵装置によれば、錠前の鍵穴からの塵埃の侵入を防止するとともに、全体が薄い合成樹脂製のシートやフィルム等であるので、製造コストが安価であり使い捨てにできる。また、平面状に展開した状態で保管して更に持ち運びができるので、部品管理が容易であるとともに、その取り扱いにも便宜である。
更に、錠前に装着すると、直線的な帯状の支持部が、間隙の形状に合わせて彎曲されるので、その反発力が前記錠前の間隙を形成する壁面に作用して外に脱落せず、取り外しには手で引くだけで取り出せるので、装着及び着脱が容易である。
前記カバー部は、環状の繋ぎ部の弾性力により、鍵で例えばカバー部が上に押し上げられて、その鍵が鍵穴から取り出されたときには、当該カバー部が錠前の正面部方向に付勢されて、自然に鍵穴を閉蓋する。これにより、工事関係者などにおいて施錠・解錠が容易にできる。また、工事中においては搬入資材の衝突等による錠前の正面部のキズ付きを防止することもできる。
前記支持部が、錠前における本体部と飾りカバーとの間隙が密閉状態となるように形成されているので、この間隙からの塵埃の侵入が確実に防止される。
【発明を実施するための最良の形態】
【０００９】
本発明に係る鍵穴における防塵装置１は、図１乃至図２に示すように、工事中のマンションや戸建てあるいは長期放置されやすい別荘等の扉１５などに取付けられている錠前２（図３参照）において、回転自在に支持されている本体部（例えば、シリンダー）３と、その本体部３の外周を囲堯する飾りカバー４との間隙に着脱自在に装着される支持部５と、前記錠前２の鍵穴のある正面部２ａを覆うカバー部６と、前記支持部５とカバー部６とを連結する繋ぎ部７とが、合成樹脂製のプレート，シート又はフィルムのいずれか一つで一体に形成されている。
【００１０】
この防塵装置の合成樹脂製のシート，フィルム等は、透明、半透明，不透明のいずれでも良い。その厚さは、任意の設計的事項であり、例えば、略０．１〜０．２ｍｍ程度である。また、前記繋ぎ部７は、帯状の支持部５をカバー部６の通し穴８に挿通させたことで形成される環状の弾性部分である。当該繋ぎ部７の弾性作用により錠前２にこの防塵装置１が装着された際に、前記カバー部６が前記錠前２の正面部２ａを覆うように常に付勢されるものである。
【００１１】
前記カバー部６の下部には、装着される錠前２の正面部２ａに対して外に彎曲して垂れ下がる捲（まく）り部６ａが設けられている。前記通し穴８は、この防塵装置１を図２に示すように、平面状に展開した場合の支持部５ａ，５ｂの長手方向に沿って略平行に設けられ、その長さは支持部５の幅よりも若干広い寸法の長さで、スリット状である。
【００１２】
前記鍵穴における防塵装置１は、図２に示すように、平板状のシート、フィルムを図示した形状に型抜きして形成するものである。この平板状の防塵装置１を製品として重ねて保管し、必要枚数分だけ別に束ねて建築現場に送るものである。なお、この防塵装置１を錠前のシリンダーに予め取り付けておいてそれを建築業者に販売したり、建築現場に送ったりする場合もある。一方、平板状の防塵装置１を受け取った現場では、扉の錠前２に装着するために、まず、図２に示す状態から、折り線９に沿って片方の支持部５ａを谷折りする。
【００１３】
前記支持部５ａは、図５（Ａ）に示すように、略直交方向に折られるので、その端を通し穴８に差し込む。更に、折り線１０に沿って他方の支持部５ｂを谷折りする。そして、前記と同様にその端を通し穴８に差し込む。これにより、図５（Ｂ）に示すような状態になる。
【００１４】
前記折り返した支持部５ａ，５ｂを更にカバー部６の裏側に引き出して、繋ぎ部７を通し穴８に挿通させる。こうして、使用状態を示す図７（Ａ），（Ｂ）のようになる。支持部５はその表裏が、展開図の場合と比べて反対になる。その後、図８に示すように、支持部５ａ，５ｂを、錠前２の、飾りカバー４と本体部（シリンダー）３との間隙に合わせて挿入できるように彎曲させる。当該支持部材５ａ，５ｂは、前記間隙の円弧状である全体形状に合わせた長さで、この間隙の厚さにもほぼ同じ程度の板厚として形成され、当該間隙を密閉状態にする。よって、前記間隙にも塵埃の侵入が阻止されるものである。
【００１５】
こうして、図３に示すように、本発明に係る鍵穴における塵埃装置１を錠前２に差し込む。図４に示すように、本体部３の鍵穴３ａが閉蓋され、工事中等における塵埃の侵入を防止する。このようにして、シリンダー錠のタンブラーピンの移動や内筒の回転操作等が良好に維持されるものである。
【００１６】
前記錠前２にこの防塵装置１が取り付けられても、扉を開けて出入りする必要のある工事関係者は、図９及び図１０に示すように、鍵１１の先端部１１ａで捲り部６ａを下から上に押し上げてカバー部６を捲り上げ、鍵穴３ａに前記鍵１１を差し込み解錠・施錠が容易にできる。
【００１７】
前記カバー部６は、鍵１１の掴み部１１ｂで上に押し上げられているので、この鍵１１を鍵穴３ａから抜き去ると、繋ぎ部７の反発力で図９（Ａ）に示す閉蓋状態に自然に戻る。このように、簡易な構造で、特に弾性部材を必要となることなく、合成樹脂製のシート，フィルム等を折ることだけで、必要な弾性機能を得るものである。
【００１８】
前記鍵穴における防塵装置１は、安価であるので、例えば、建物が完成した後に廃棄され、若しくは別荘を使用するときに廃棄される等、使い捨てにすることができる。勿論、錠前２からこの防塵装置１を外して再び平板状に展開して保管し、再使用することもできるものである。
【図面の簡単な説明】
【００１９】
【図１】本発明に係る鍵穴における防塵装置１の斜視図である。
【図２】同本発明の鍵穴における防塵装置１の展開図である。
【図３】同鍵穴における防塵装置１を錠前２に装着する様子を示す説明図である。
【図４】同鍵穴における防塵装置１を錠前２に装着後の説明図である。
【図５】同鍵穴における防塵装置１を、展開図の状態から使用状態に折って変形させる手順を示す説明図（Ａ），（Ｂ）である。
【図６】同鍵穴における防塵装置１を、展開図の状態から使用状態に折って変形させる手順を示す説明図である。
【図７】同鍵穴における防塵装置１を、展開図の状態から使用状態に折って状態の正面図（Ａ）と、側面図（Ｂ）とである。
【図８】同鍵穴における防塵装置１を、展開図の状態から使用状態に折って変形させ、支持部５が錠前の間隙に合わせて彎曲させることを示す説明図である。
【図９】同鍵穴における防塵装置１を錠前２に装着した後に、鍵１１を使用することができることを示す説明図（Ａ），（Ｂ）である。
【図１０】同鍵穴における防塵装置１を錠前２に装着した後に、鍵１１を使用することができることを示す説明図（Ａ），（Ｂ）である。
【符号の説明】
【００２０】
１                鍵穴における防塵装置、
２                錠前、
３                本体部、
３ａ              鍵穴、
４                飾りカバー、
５，５ａ，５ｂ    支持部、
６                カバー部、
６ａ              捲り部、
７                繋ぎ部、
８                通し穴、
９，１０          折り線、          
１１              鍵、
１５              扉。
【図１】
2007170116.tif 000003
【図２】
2007170116.tif 000004
【図３】
2007170116.tif 000005
【図４】
2007170116.tif 000006
【図５】
2007170116.tif 000007
【図６】
2007170116.tif 000008
【図７】
2007170116.tif 000009
【図８】
2007170116.tif 000010
【図９】
2007170116.tif 000011
【図１０】
2007170116.tif 000012